(57)【特許請求の範囲】
【請求項１】
箱棒６および蝶棒７に対応する補強テープ１４を芯部２の回りに被覆させ、テープ主体部１１の表裏面に溶着させたファスナーテープ１の開離嵌挿具取付部１３において、補強テープ１４として熱可塑性エラストマーフィルムまたは熱可塑性樹脂フィルムを用い、包被する芯部２および芯部近傍部３の補強テープ１４を低圧、テープ主体部１１に配される補強テープ１４を高圧による加圧加熱手段によって、補強テープ１４をファスナーテープ１に溶着させ、柔軟な芯部２および芯部近傍部３、また硬直なテープ主体部１１を形成したことを特徴とするファスナーテープの開離嵌挿具取付部。
【請求項２】
芯紐９をファスナーテープ１の側縁に添装して織り込み、または編み込み、あるいは縫着して芯部２を形成し、芯部２を補強テープ１４で包被しテープ主体部１１よりも低圧で溶着して芯部２および芯部近傍部３を形成してなる請求項１記載のファスナーテープの開離嵌挿具取付部。
【請求項３】
補強テープ１４を高圧溶着したテープ主体部１１の厚みを薄く、低圧溶着した芯部近傍部３を厚く形成し、テープ主体部１１と芯部近傍部３との間に段差部１５を設け、段差部１５はスライダー２０のフランジ２１よりも外側に位置する形で配設してなる請求項１または２記載のファスナーテープの開離嵌挿具取付部。
【請求項４】
低圧溶着の芯部２および芯部近傍部３をファスナーテープ１の片面に形成してなる請求項１、２または３記載のファスナーテープの開離嵌挿具取付部。
【請求項５】
低圧溶着の芯部２および芯部近傍部３をファスナーテープ１の両面に対称形に形成してなる請求項１、２または３記載のファスナーテープの開離嵌挿具取付部。
【請求項６】
芯部２および芯部近傍部３を除いたファスナーテープ１面に溶着された補強テープ１４の表面にローレット加工によって、きざみ目１６を付着してなる請求項１乃至５のいずれか一項に記載のファスナーテープの開離嵌挿具取付部。
【発明の詳細な説明】
【０００１】
【発明の属する技術分野】
この発明は、開離嵌挿具を備えた開きタイプのスライドファスナーにおけるファスナーテープの端部に箱棒、箱体および蝶棒を装着するため、テープ端部を強弱二様に補強して開離嵌挿具を強固に固定し、長期の使用に耐えられるスライドファスナーの開離嵌挿具取付部に関するものである。
【０００２】
【従来の技術】
従来のこの種の開きタイプのスライドファスナーにおいてファスナーテープの端部に開離嵌挿具を取付けるための取付部を、ファスナーテープの端部に細幅のタフタを接着して全体的に硬化させ、その硬化させたファスナーテープ側縁に箱棒、箱体および蝶棒を取付けた開離嵌挿具を備えた開きタイプのスライドファスナーがよく知られている。
【０００３】
また、上記の開きタイプのスライドファスナーにおける開離嵌挿具取付部を改良したものとして、図６に示すようにテープの端部に合成樹脂液を塗布し、または合成樹脂フィルムを溶着し、あるいはタフタの添着により、低度に硬くした縫着部を残してテープの一側縁または両側縁を高度に硬くし、この高度の硬化縁部に箱棒、箱体および蝶棒を装着し、ファスナーテープを部分的に硬さを異ならしめて、開離嵌挿具の取付けを強固にするとともに、スライドファスナーの取付け縫着が容易に行える開離嵌挿具の取付部が実公昭４４−２５８４２号公報に開示されている。
【０００４】
さらに図７に示すように、開離嵌挿具取付部全体に適度な硬直性と強度を与え、かつスライドファスナーの使用中に開離嵌挿具取付部の折損、亀裂等を防止し、また縫糸が硬化された補強片によって切損するのを防止するため、ファスナーテープの端部に合成樹脂フィルム、あるいはタフタなどの補助テープを強弱二様に全面接着し、その接着部に硬直性のある平板状の強着部と、この強着部よりも高く隆起して点在する弱着部とを設けたスライドファスナーの開離嵌挿具取付部が実公昭５６−２５５２４号公報に開示されている。
【０００５】
【発明が解決しようとする課題】
前項で述べた図６．７に示した開きタイプのスライドファスナーにおける開離嵌挿具の取付部は、それぞれ合成樹脂フィルム、タフタなど補強片をテープ面に接着した接着部に強弱二様の強着部と弱着部とを形成したものであるが、いずれの開離嵌挿具の取付部も箱棒、箱体および蝶棒を取付ける部分が過度の加圧加熱によって脆弱化し、スライドファスナーの使用中に生ずる捩れ力によって、開離嵌挿具を取付けた補強部の箱棒、蝶棒の取付け際に亀裂が生じて破損し、開離嵌挿操作が円滑に行えないなど問題点があった。
【０００６】
この発明は、上述の問題点を考慮して発明されたものであり、請求項１記載の発明は、ファスナーテープの開離嵌挿具取付部に装着する補強テープを強弱による加圧加熱手段によって溶着し、箱棒、箱体および蝶棒の取付部の脆弱化を防ぎ、特に箱棒、蝶棒の取付け際が使用中に亀裂が生ずるのを防ぎ、しかも柔軟な取付部に箱棒、蝶棒を強固に装着でき、長期にわたって破損が生じず円滑な開離嵌挿操作が行える丈夫なファスナーテープの開離嵌挿具取付部を提供することが目的である。
【０００７】
請求項２記載の発明は、請求項１記載の発明の目的に加え、芯部を形成する芯紐をファスナーテープの側縁に添装固定する形態を特定し、箱棒、箱体および蝶棒を的確かつ容易に装着できる芯部を備えたファスナーテープの開離嵌挿具取付部を提供することが主たる目的である。
【０００８】
請求項３記載の発明は、請求項１または２記載の発明の目的に加え、ファスナーテープの端部に溶着する補強テープを強弱による加圧加熱手段によって、ファスナーテープの厚みに差異を設け、芯部近傍部を厚く、テープ主体部を薄く形成して箱棒、箱体および蝶棒を強固に取付け、また開離嵌挿操作が容易にできるテープ主体部を備えたファスナーテープの開離嵌挿具取付部を提供することが目的である。
【０００９】
請求項４および５記載の発明は、それぞれ請求項１、２または３記載の発明の目的に加え、ファスナーテープの側縁に配した芯部および芯部近傍部の形態を、それぞれ特定することによって、各種タイプのスライドファスナーに適応した開離嵌挿具を装備させることができるファスナーテープの開離嵌挿具取付部を提供することが目的である。
【００１０】
請求項６記載の発明は、請求項１乃至５のいずれか一項に記載の発明の目的に加え、開離嵌挿具を取付ける芯部および芯部近傍部を除いた補強テープの表面を粗面に形成して熱可塑性樹脂特有の滑りを防ぎ、開離嵌挿操作および被着物への縫着を容易にできるファスナーテープの開離嵌挿具取付部を提供することが目的である。
【００１１】
【課題を解決するための手段】
前記の目的を達成するため、この発明のうち請求項１記載の発明は、箱棒６および蝶棒７に対応する幅寸法の補強テープ１４をファスナーテープ１の一側縁に形成した芯部２の回りに被覆させ、ファスナーテープ１のテープ主体部１１の表裏両面に溶着させたファスナーテープ１の開離嵌挿具取付部１３において、補強テープ１４として、熱可塑性エラストマーフィルムまたは熱可塑性樹脂フィルムを用い、包被する芯部２および芯部近傍部３の補強テープ１４を低圧、またファスナーテープ１のテープ主体部１１に配される補強テープ１４を高圧による加圧加熱手段によって、熱可塑性エラストマーフィルムまたは熱可塑性樹脂フィルムの補強テープ１４をファスナーテープ１に溶着させ、柔軟性を帯びた芯部２および芯部近傍部３、また硬直性を帯びたテープ主体部１１を形成したファスナーテープの開離嵌挿具取付部を主な構成とするものである。
【００１２】
請求項２記載の発明は、請求項１記載の発明の構成に加え、芯紐９をファスナーテープ１の側縁に添装して織製手段によって織り込み、または編製手段によって編み込み、あるいは縫製手段によって縫着して一連の芯部２を形成し、この芯部２を熱可塑性エラストマーフィルムまたは熱可塑性樹脂フィルムの補強テープ１４で包被し、ファスナーテープ１のテープ主体部１１に溶着する補強テープの加圧よりも低圧で溶着し、ファスナーテープ１の一側縁に芯部２および芯部近傍部３を形成したファスナーテープの開離嵌装具取付部である。
【００１３】
請求項３記載の発明は、請求項１または２記載の発明の構成に加え、熱可塑性エラストマーフィルムまたは熱可塑性樹脂フィルムの補強テープ１４を高圧溶着したファスナーテープ１のテープ主体部１１の厚みを薄く、補強テープ１４を低圧溶着した芯部近傍部３の厚みを厚く形成し、ファスナーテープ１の表面にテープ主体部１１と芯部近傍部３との間に高低差のある段差部１５を設け、この段差部１５は装備されるスライダー２０のフランジ２１よりも外側に位置する形態で配設したファスナーテープの開離嵌装具取付部である。
【００１４】
請求項４記載の発明は、請求項１、２または３記載の発明の構成に加え、熱可塑性エラストマーフィルムまたは熱可塑性樹脂フィルムの補強テープ１４を低圧で溶着する芯部２および芯部近傍部３はファスナーテープ１の片面のみに形成したファスナーテープの開離嵌装具取付部である。
【００１５】
請求項５記載の発明は、請求項１、２または３記載の発明の構成に加え、熱可塑性エラストマーフィルムまたは熱可塑性樹脂フィルムの補強テープ１４を低圧で溶着する芯部２および芯部近傍部３はファスナーテープ１の両面に対称形に形成したファスナーテープの開離嵌装具取付部である。
【００１６】
請求項６記載の発明は、請求項１乃至５のいずれか一項に記載の発明の構成に加え、ファスナーテープ１の一側縁に形成した芯部２および芯部近傍部３を除いたファスナーテープ１の表面に溶着される熱可塑性エラストマーフィルムまたは熱可塑性樹脂フィルムの補強テープ１４は、その表面にローレット加工によって、きざみ目１６を付着して粗面に形成したファスナーテープの開離嵌装具取付部である。
【００１７】
【発明の実施の形態】
以下、この発明のファスナーテープの開離嵌挿具取付部の実施の形態について、図面を参照しながら具体的に説明する。
【００１８】
この発明のファスナーテープ１における開離嵌挿具取付部１３は、ポリアミド系、ポリエステル系などの合成繊維糸を織製または編製によって一対のファスナーテープ１を作製し、このファスナーテープ１の一側縁に芯紐９を添装して芯部２を形成し、この芯部２に亜鉛合金、アルミニウム合金などの金属製、あるいはポリアミド、ポリアセタール、ポリプロピレン、ポリブチレンテレフタレートなどの熱可塑性樹脂製の単一体または連続線材の各種のファスナーエレメントを装着し、ファスナーテープ１の端部に上記と同様の素材から成形された箱体５、箱棒６、蝶棒７から形成された開離嵌挿具４を開離嵌挿具取付部１３に装着してスライドファスナー用チェンを作製する。
【００１９】
この発明におけるファスナーテープ１の端部に開離嵌挿具４を取付けるための開離嵌挿具取付部１３について詳述すると、図１〜４に示すように、ファスナーテープ１の側縁に熱可塑性樹脂のモノフィラメントから形成されたコイル状のファスナーエレメント８内に芯紐９が挿通され、このファスナーエレメント８と芯紐９とを縫糸１０によってファスナーテープ１の側縁に縫着して連続状のファスナーチェンＣが形成されている。
【００２０】
連続状のファスナーチェンＣは一定間隔すなわち単位長さの製品、スライドファスナーに相当する間隔で、ファスナーエレメント８のみを除去した一定長さのスペース部１２が設けられ、このスペース部１２に開離嵌挿具４を取付けるための開離嵌挿具取付部１３を形成する。開離嵌挿具４の取付けは、まずスペース部１２に開離嵌挿具４よりもやや長目の幅のスチレン−ブタジエン−スチレンブロック共重合体、熱可塑性ポリウレタンなどの熱可塑性エラストマーフィルム、あるいはポリアミド、ポリエチレンなどの熱可塑性樹脂フィルムから形成された補強テープ１４を加圧加熱手段、たとえば超音波加工または高周波加工などによって、ファスナーテープ１の一側縁に残存する、コイル状ファスナーエレメント８内に挿通した芯紐９とこれを縫着していた縫糸１０とを包囲してファスナーテープ１に溶着して芯部２を形成するとともに、補強テープ１４の両端をファスナーテープ１の表裏面に圧着固定して開離嵌挿具取付部１３を形成する。
【００２１】
なお、好ましくは熱可塑性エラストマーフィルムまたは熱可塑性樹脂フィルムの補強テープ１４が透明でありファスナーテープ１の色彩が透視できる。これにより、ファスナーテープ１と補強テープ１４の色合わせが不要となり、各種色彩の補強テープ１４を予め準備しておく必要がなく在庫管理が容易となる。
【００２２】
補強テープ１４をファスナーテープ１に溶着する際、図３、４に示すとおり、ファスナーテープ１の一側縁上３に残存する芯紐９と縫糸１０とを包被して芯部２を形成する部分、および芯部２に隣接して芯部近傍部３を形成する部分の補強テープ１４はそれぞれ低圧で溶着し、またファスナーテープ１のテープ主体部１１に配される補強テープ１４は高圧でファスナーテープ１に溶着する。その結果芯部２および芯部近傍部３はテープ主体部１１よりも厚さが厚く、しかも柔軟性を帯びている。テープ主体部１１は高圧で溶着するため厚さが薄く硬直化され、芯部近傍部３とテープ主体部１との境界に高低差のある段差部１５が設けられ、この段差部１５はファスナーチェンＣに装備するスライダー２０のガイドフランジ２１が位置する外側の個所に配設されている。
【００２３】
さらにテープ主体部１１の表裏に溶着された補強テープ１４は、その表面にローレット加工によって、きざみ目１６が縦横に付着され粗面状に形成し、熱可塑性樹脂特有の滑沢を消去して、被着物との摩擦接触が可能な形態に形成されている。
【００２４】
ファスナーチェンＣのスペース部１２に形成された開離嵌挿具取付部１３の芯部２および芯部近傍部３には、図１に示すような開離嵌挿具４が装着されるが、一方のファスナーストリンガＦの一側縁には箱体５と箱棒６とが合体した開き具の箱棒６部分が芯部２を挟持する形でプレス加工によって圧着され、箱棒６の上端縁は図４に示すように芯部近傍部３を圧迫し食い込む形で圧着されている。なお箱体５と箱棒６とは別体に成形した後に、箱棒６を箱体５に嵌装固定してもよい。また他方のファスナーストリンガＦの一側縁には、箱体５に挿入できる蝶棒７が箱棒６と同様な形態で芯部２を包被し芯部近傍部３に端縁を食い込む形で圧着されている。これにより箱棒６、蝶棒７は芯部２に沿って位置ずれすることなく安定した形態で装着されている。
【００２５】
以上説明した実施例では開離嵌挿具４は金属製であるが、開離嵌挿具４の素材に、ポリアミド、ポリアセタール、ポリプロピレン、ポリブチレンテレフタレートなどの熱可塑性樹脂を用い、射出成形手段によって、箱体５、箱棒６および蝶棒７をファスナーテープ１のスペース部１２に設けた開離嵌挿具取付部１３の芯部２および芯部近傍部３に包被するように成形し、金属製の開離嵌挿具４と同一形態で開離嵌挿具４を装着することもできる。
【００２６】
図５に示した実施例は、ファスナーテープ１の一側縁の両面に芯紐９、９を添装し、縫糸１０によって両面に縫着した形態の芯部２から形成された開離嵌挿具取付部１３であり、ファスナーテープ１の両面に補強テープ１４を高低差のある金型により加圧加熱手段によって溶着し、芯部２と芯部近傍部３とがファスナーテープ１の両面に対称形に形成されている。なお、ファスナーテープ１の織製または編製と同時に芯紐９を織り込み、または編み込んだ形態の芯部２においても上述と同様な形態に形成されるものである。この形態の芯部２および芯部近傍部３は、芯部２に取付けられるファスナーエレメントは金属製あるいは熱可塑性樹脂の単一体のファスナーエレメントを装着するのに適しており、また熱可塑性樹脂のモノフィラメントから形成されるジグザグタイプのファスナーエレメントの装着にも適している。
【００２７】
この形態のファスナーストリンガＦに取付ける開離嵌挿具４の箱棒６、または蝶棒７は、それぞれ端縁が上下から芯部近傍部３を挟持できる直角状に屈曲した縁部を設け、芯部近傍部３に食い込む形で圧着するのがよい。なお芯部近傍部３はスライダー２０のガイドフランジ２１が摺接可能に形成され、しかも芯部近傍部３は芯部２を補強する役目もあるものである。
【００２８】
【発明の効果】
この発明のファスナーテープの開離嵌挿具取付部は、以上説明したとおりの構成であり、この構成によって下記の効果を奏するものである。
【００２９】
この発明のうち請求項１記載の発明は、箱棒および蝶棒に対応する補強テープを芯部の回りに被覆させ、テープ主体部の表裏面に溶着させたファスナーテープの開離嵌挿具取付部において、補強テープとして熱可塑性エラストマーフィルムまたは熱可塑性樹脂フィルムを用い、包被する芯部および芯部近傍部の補強テープを低圧、テープ主体部に配される補強テープを高圧による加圧加熱手段によって、補強テープをファスナーテープに溶着させ、柔軟な芯部および芯部近傍部、また硬直なテープ主体部を形成したことによって、ファスナーテープの開離嵌挿具取付部に装着された補強テープを強弱の加圧加熱によって溶着し、テープ主体部が硬直であるが芯部および芯部近傍部が柔軟に形成されているから、箱棒、蝶棒の取付部の脆弱化による容易な破損を防ぐことができる。これにより取付部へ強固に箱棒、蝶棒を圧着でき、しかもスライドファスナーの使用中において取付部に捩れ力が加わっても箱棒、蝶棒の取付け際に亀裂が生じ難いので、長期の使用に耐え、円滑な開離嵌挿操作が行える効果がある。
【００３０】
請求項２記載の発明は、請求項１記載の発明の効果に加え、芯紐をファスナーテープの側縁に添装して織り込み、または編み込み、あるいは縫着して芯部を形成し、芯部を補強テープで包被しテープ主体部よりも低圧で溶着して芯部および芯部近傍部を形成したことによって、各種タイプのファスナーテープの芯部に開離嵌挿具を的確かつ強固に装着できる効果がある。
【００３１】
請求項３記載の発明は、請求項１または２記載の発明の効果に加え、補強テープを高圧溶着したテープ主体部を薄く、低圧溶着した芯部近傍部を厚く形成し、テープ主体部と芯部近傍部との間に段差部を設け、段差部はスライダーのフランジよりも外側に位置する形で配設したことによって、開離嵌挿具を取付部に強固に装着することができ、またスライダーを安定した状態で芯部近傍部上を摺接ガイドできる効果がある。
【００３２】
請求項４記載の発明は、請求項１、２、または３記載の発明の効果に加え、低圧溶着の芯部および芯部近傍部をファスナーテープの片面に形成したことによって、ファスナーテープの一側縁上にファスナーエレメントを装着するタイプのスライドファスナーにおいて開離嵌挿具を的確かつ強固に装着でき、円滑な開離嵌挿操作が行える効果がある。
【００３３】
請求項５記載の発明は、請求項１、２、または３記載の発明の効果に加え、低圧溶着の芯部および芯部近傍部をファスナーテープの両面に対称形に形成したことによって、ファスナーテープの一側縁両面にファスナーエレメントを装着するタイプのスライドファスナーにおいて開離嵌挿具を的確かつ強固に装着でき、円滑な開離嵌挿操作が行える効果がある。
【００３４】
請求項６記載の発明は、請求項１乃至５のいずれか一項に記載の発明の効果に加え、芯部および芯部近傍部を除いたファスナーテープ面に溶着された補強テープの表面にローレット加工によって、きざみ目を付着させたことによって、テープ主体部の表面が粗面であるから、被着物に安定した状態で接触でき、その結果縫製も容易であるとともに、スライダーの滑動も芯部近傍部上を摺接し円滑に行える効果があるなど、この発明が奏する効果はきわめて顕著である。
【図面の簡単な説明】
【図１】第１実施例の開離嵌挿具取付部の分解斜視図である。
【図２】同上開離嵌挿具取付部の開離状態を示す正面図である。
【図３】同上開離嵌挿具取付部の閉鎖状態における横断面図である。
【図４】同上開離嵌挿具取付部に蝶棒を取付けた状態の横断面図である。
【図５】第２実施例の開離嵌挿具取付部に蝶棒を取付けた状態の横断面図である。
【図６】公知の開離嵌挿具取付部の正面図である。
【図７】他の公知の開離嵌挿具取付部の正面図である。
【符号の説明】
１          ファスナーテープ
２          芯部
３          芯部近傍部
４          開離嵌挿具
５          箱体
６          箱棒
７          蝶棒
８          ファスナーエレメント
９          芯紐
１１          テープ主体部
１３          開離嵌挿具取付部
１４          補強テープ
１５          段差部
１６          きざみ目
２０          スライダー
２１          フランジ
【図１】
0003589442.tif 000002
【図２】
0003589442.tif 000003
【図３】
0003589442.tif 000004
【図４】
0003589442.tif 000005
【図５】
0003589442.tif 000006
【図６】
0003589442.tif 000007
【図７】
0003589442.tif 000008